(57)【特許請求の範囲】
【請求項１】
平板状の鏡体と、
前記鏡体の裏面側に沿うようにして設けられ、かつ一端部が温水供給元に接続される一方、他端部が温水供給先に接続される温水管と、
前記温水管の温水流通方向と略平行な方向に延びる複数本の突条を表面側に有し、かつ該突条を前記鏡体の裏面に当接させる一方、裏面側を前記温水管に当接させた伝熱板と、
を備えており、
前記伝熱板の突条は、前記鏡体の厚さ方向で前記温水管と重合しないように設けられていることを特徴とする鏡装置。
【請求項２】
請求項１において、
前記伝熱板の突条は、前記温水管の両側にそれぞれ複数本設けられていることを特徴とする鏡装置。
【請求項３】
請求項２において、
前記伝熱板は、前記温水管から離れるに従って前記鏡体との当接面積が大きくなるように前記突条を設けた構造とされていることを特徴とする鏡装置。
【請求項４】
請求項２または３において、
前記温水管は、前記鏡体の少なくとも左右方向略中央の裏面側において上下に延びるように設けられていることを特徴とする鏡装置。
【請求項５】
請求項１乃至４のいずれか１項において、
前記鏡体は、上下に長尺に形成されており、
前記伝熱板は、前記鏡体の上下方向略中央部位よりも下側部位に設けられていることを特徴とする鏡装置。
【発明の詳細な説明】
【技術分野】
【０００１】
本発明は、鏡を備えた鏡装置に関する。
【背景技術】
【０００２】
従来より、浴室等に設けられる鏡には、鏡表面とその周囲との温度差やその周囲に水蒸気が発生すること等に起因して結露により鏡表面に曇りが発生するという問題があった。このような鏡表面における曇りの抑制や曇りを除去するために、鏡の裏面側に電熱線やＰＴＣ等の電気ヒーターを設けた曇り止め鏡が知られている。しかしながら、このような電気ヒーターを設けた曇り止め鏡は、電気配線が必要となり、また、水廻りに設置されることから漏電や感電等の対策を十分に施す必要があった。
【０００３】
例えば、下記特許文献１では、太陽熱温水器の湯を湯ぶねに供給する湯供給配管のバイパス管に接続される給湯通路を設けた曇り止め鏡が提案されている。この曇り止め鏡は、鏡、伝熱板、保温材の順に積層し、蛇行管で構成された給湯通路を伝熱板と保温材との間に形成した構造とされている。また、伝熱板に、該伝熱板と保温材との密着性を保持するために、該伝熱板の伸びあるいは縮みを吸収する一条あるいは数条の波形を設けた構成とされている。
【先行技術文献】
【特許文献】
【０００４】
【特許文献１】実用新案登録第３０３９６３２号公報
【発明の概要】
【発明が解決しようとする課題】
【０００５】
しかしながら、上記特許文献１に記載されたような曇り止め鏡では、鏡を表面域方向に沿って迅速にかつ均一に暖めるために、給湯通路を比較的に狭い間隔で蛇行させて伝熱板の裏面に沿わせて設ける必要があり、更なる改善が望まれていた。
【０００６】
本発明は、上記実情に鑑みてなされたものであり、鏡を効率的に昇温させ得る鏡装置を提供することを目的としている。
【課題を解決するための手段】
【０００７】
上記目的を達成するために、本発明に係る鏡装置は、平板状の鏡体と、前記鏡体の裏面側に沿うようにして設けられ、かつ一端部が温水供給元に接続される一方、他端部が温水供給先に接続される温水管と、前記温水管の温水流通方向と略平行な方向に延びる複数本の突条を表面側に有し、かつ該突条を前記鏡体の裏面に当接させる一方、裏面側を前記温水管に当接させた伝熱板と、を備えており、前記伝熱板の突条は、前記鏡体の厚さ方向で前記温水管と重合しないように設けられていることを特徴とする。
【０００８】
本発明においては、前記伝熱板の突条を、前記温水管の両側にそれぞれ複数本設けてもよい。
また、本発明においては、前記伝熱板を、前記温水管から離れるに従って前記鏡体との当接面積が大きくなるように前記突条を設けた構造としてもよい。
また、本発明においては、前記温水管を、前記鏡体の少なくとも左右方向略中央の裏面側において上下に延びるように設けてもよい。
また、本発明においては、前記鏡体を、上下に長尺に形成されたものとし、前記伝熱板を、前記鏡体の上下方向略中央部位よりも下側部位に設けてもよい。
【発明の効果】
【０００９】
本発明に係る鏡装置は、上述のような構成としたことで、鏡を効率的に昇温させることができる。
【図面の簡単な説明】
【００１０】
【図１】本発明の一実施形態に係る鏡装置の一例を模式的に示し、図２におけるＸ−Ｘ線矢視に対応させた概略横断面図である。
【図２】同鏡装置を設置した状態を模式的に示す一部破断概略斜視図である。
【図３】同鏡装置及び同鏡装置の設置対象の一例を模式的に示す一部破断概略分解斜視図である。
【図４】同鏡装置の一変形例を模式的に示し、図１に対応させた概略横断面図である。
【図５】同鏡装置の他の変形例を模式的に示し、図２に対応させた一部破断概略斜視図である。
【発明を実施するための形態】
【００１１】
以下に本発明の実施の形態について、図面に基づいて説明する。
なお、以下の実施形態では、設置された鏡装置に対面した状態を基準として上下方向等の方向を原則的に説明する。
【００１２】
図１〜図５は、本実施形態に係る鏡装置の一例及びその変形例を模式的に示す図である。
本実施形態に係る鏡装置１は、図１及び図２に示すように、平板状の鏡体１０と、この鏡体１０の裏面１２側に沿うようにして設けられた温水管１３と、これら鏡体１０と温水管１３との間に設けられた伝熱板２０と、を備えている。
この鏡装置１は、鏡体１０の表面１１に結露により曇りが生じ易い、例えば、住居等の建物内の浴室や洗面室等の水廻り空間に好適に設置される。本実施形態では、図２に示すように、浴室の壁面２に沿わせるように鏡装置１を設置した例を示している。また、本実施形態では、浴室の壁面２に突出するように設けられ、混合水栓金具６を有したカウンター３上に鏡装置１を設置した例を示している。
【００１３】
鏡体１０は、本実施形態では、上下に長尺とされており、正面視して略矩形状とされている。
温水管１３は、その一端部１４が温水供給元４に接続される供給元側端部１４とされている。温水供給元４としては、浴室外に設置されたガス給湯器や電気給湯器、ヒートポンプ給湯器、石油給湯器、太陽熱温水器等の給湯器（温水器）が挙げられる。また、温水管１３の供給元側端部１４を、このような給湯器に配管を介して直接的に接続するようにしてもよい。または、給湯器からの温水の供給先となる混合水栓や浴槽の供給口、シャワーヘッド等への配管を分岐させ、その分岐させた配管に温水管１３の供給元側端部１４を接続するようにしてもよい。
【００１４】
また、温水管１３は、その他端部１５が温水供給先５に接続される供給先側端部１５とされている。温水供給先５としては、混合水栓や浴槽の供給口、シャワーヘッド等が挙げられる。本実施形態では、温水供給先を、シャワーヘッド５とし、シャワーホースを介して温水管１３の供給先側端部１５とシャワーヘッド５とを接続した例を示している。
また、本実施形態では、この温水管１３を、鏡体１０の左右方向略中央の裏面１２側において上下に延びるように設けている。図例では、鏡体１０の裏面１２側の下端部付近に温水管１３の供給元側端部１４を位置させた例を示している（図２参照）。また、この供給元側端部１４から鏡体１０の裏面１２側の上下方向略中央部位よりも上側部位の上下方向中央部位付近まで上方に延びるように温水管１３を設けた例を示している。また、この上側部位の上下方向中央部位付近において屈曲させるようにして鏡体１０の一側端部（図例では正面視して左側端部）側に延在させ、この一側端部の裏面１２側に供給先側端部１５を位置させた例を示している。
【００１５】
この温水管１３の供給先側端部１５は、図２及び図３に示すように、継手等のシャワーホース接続部材１９によってシャワーホースに接続するようにしてもよい。また、供給元側端部１４も同様、継手等の接続部材を介して温水供給元４に接続された配管に接続するようにしてもよい。
また、図例では、略円筒形状とされた温水管１３を示している。この温水管１３の内径は、当該温水管１３が設けられる鏡装置１自体の大きさや、温水管１３の配設（配管）パターン等に応じて適宜、設定可能である。例えば、一般的な浴室に設置される大きさの鏡装置１とし、上記のような配設パターンとした場合には、温水管１３の内径を、５ｍｍ〜２０ｍｍ程度としてもよい。
なお、この温水管１３は、架橋ポリエチレン管（チューブ）等の樹脂管や、鋼管、銅管等の金属管からなるものとしてもよく、熱伝導率が比較的に高い金属管からなるものとしてもよい。
【００１６】
伝熱板２０は、図１及び図３に示すように、平板状とされており、本実施形態では、正面視して略矩形状とされている。また、本実施形態では、この伝熱板２０を、鏡体１０の略全域に亘って設けずに、鏡体１０の上下方向略中央部位よりも下側部位の裏面１２に沿わせるようにして設けている。
この伝熱板２０は、温水管１３の温水流通方向（本実施形態では、上下方向）と略平行な方向に延びる複数本の突条２２，２３，２４を表面側に有している。換言すれば、これら複数本の突条２２，２３，２４によって伝熱板２０の表面側には、複数本の凹溝が形成された構造となる。これら複数本の突条２２，２３，２４は、その長手方向を温水管１３の温水流通方向に沿わせるようにして互いに略平行に設けられ、また、伝熱板２０の温水流通方向に沿う方向（上下方向）の全体に亘って設けられている。
【００１７】
また、伝熱板２０は、これら突条２２，２３，２４を鏡体１０の裏面１２に当接させる一方、裏面側を温水管１３に当接させて配置される。これら突条２２，２３，２４の突出寸法（伝熱板２０の厚さ方向に沿う寸法）は、隣り合う突条２２，２３，２４同士の間に形成される凹溝の底面に、少なくとも鏡体１０の裏面１２が当接しない寸法とすればよい。例えば、０．１ｍｍ〜１ｍｍ程度の比較的に小さい寸法としてもよい。
また、本実施形態では、伝熱板２０の突条２２，２３，２４を、図１に示すように、鏡体１０の厚さ方向で温水管１３と重合しないように、温水管１３の両側にそれぞれ複数本設けている。つまり、温水管１３に最も近接した両側の突条２２，２２同士の間隔を、温水管１３の径（図例では、外径）よりも大きくしている。図例では、温水管１３の両側のそれぞれに、３本の突条２２，２３，２４を設けており、伝熱板２０の左右方向中心を対称軸としてこれらを左右対称状にそれぞれ設けている。
【００１８】
また、本実施形態では、伝熱板２０は、温水管１３から離れるに従って鏡体１０との当接面積が大きくなるように突条２２，２３，２４を設けた構造とされている。本実施形態では、温水管１３の両側にそれぞれ設けられた隣り合う突条２２，２３，２４同士の間隔（溝幅）を略同寸法とし、かつ温水管１３から離れるに従って突条２２，２３，２４自体の幅寸法を大きくした構造としている。
つまり、温水管１３に最も近接した両側の第１突条２２，２２とその外方側に設けられた第２突条２３，２３との間の溝幅、及び第２突条２３，２３とその更に外方側に設けられた第３突条２４，２４との間の溝幅を、それぞれ略同寸法としている。また、第１突条２２，２２の幅寸法Ｗ１，Ｗ１よりもその外方側の第２突条２３，２３の幅寸法Ｗ２，Ｗ２を大きくし、第２突条２３，２３の幅寸法Ｗ２，Ｗ２よりもその外方側の第３突条２４，２４の幅寸法Ｗ３，Ｗ３を大きくしている。このような構成により、本実施形態では、伝熱板２０と鏡体１０との当接面積を、温水管１３から離れるに従って大きくしている。これら各突条２２，２３，２４の各幅寸法Ｗ１，Ｗ２，Ｗ３は、当該伝熱板２０自体の大きさや、突条の本数等に応じて、適宜、設定するようにしてもよい。
【００１９】
また、本実施形態では、伝熱板２０の裏面に、温水管１３を受け入れる受部２１を設けている。この受部２１は、温水管１３の横断面形状に対応させて、横断面略半円形状（略Ｕ字形状）とされている。このような受部２１を設けることで、温水管１３と伝熱板２０との当接面積を大きくすることができ、伝熱板２０を効率的に昇温させることができる。
なお、この伝熱板２０は、アルミニウムや鋼材、銅等の熱伝導率が比較的に高い金属系材料から形成されたものとしてもよい。また、この伝熱板２０の突条２２，２３，２４や受部２１が設けられた部位を除く厚さ寸法は、０．５ｍｍ〜３ｍｍ程度としてもよい。
また、本実施形態では、第１突条２２，２２及び受部２１が設けられた部位を除いて、伝熱板２０の厚さを概ね均一としている。つまり、第２突条２３，２３及び第３突条２４，２４が設けられた部位の裏面側を凹ませたような形状としている。このように突条が設けられた部位の裏面側を他の裏面よりも凹ませるようにすることで、当該伝熱板２０の材料コスト及び熱容量を比較的に小さくすることができる。
【００２０】
また、本実施形態では、鏡装置１は、図１及び図３に示すように、温水管１３を伝熱板２０に固定する固定部材１６と、伝熱板２０の裏面側に配設された断熱部材１７と、各部材を収容する鏡ケース（鏡枠体）１８と、を備えている。
固定部材１６は、箔状またはフィルム状のテープ部材とされ、温水管１３の裏面側及び伝熱板２０の温水管１３との当接部位近傍（受部２１）を覆うように貼着されている。このような固定部材１６によって温水管１３を伝熱板２０の裏面側に当接させるようにして固定する態様とすることで、温水管１３を比較的に確実に固定でき、また、伝熱板２０を効率的に昇温させることができる。つまり、例えば、温水管１３と伝熱板２０との間に粘着材や接着剤等を介在させて固定する態様と比べて、温水管１３を伝熱板２０の裏面（受部２１）に直接的に当接させることができる。
【００２１】
なお、この固定部材１６は、アルミニウムや銅等から形成されたものとしてもよい。また、このような固定部材１６によって温水管１３を伝熱板２０に固定する態様に代えて、粘着材や接着剤等を用いて固定するようにしてもよい。この場合は、熱伝導性が比較的に高く、かつ耐熱性を有したエポキシ系やシリコーン系等の接着剤を用いるようにしてもよい。または、後記するように断熱部材１７を発泡系断熱材からなるものとし、鏡ケース１８の収容空間に注入して発泡させる場合には、断熱部材１７を固定部材として機能させるようにしてもよい。
【００２２】
断熱部材１７は、上記のように鏡体１０の裏面１２に配設された伝熱板２０の裏面側及び温水管１３の裏面側を覆うように設けられている。このような断熱部材１７を設けることで、温水管１３の熱の裏面側への放熱を抑制することができ、また、当該鏡装置１と設置面との熱移動を抑制することができる。また、この結果、伝熱板２０及び鏡体１０をより効率的に昇温させることができる。
本実施形態では、図３に示すように、断熱部材１７を、鏡体１０の裏面１２側の全域に亘って設けずに、伝熱板２０の裏面側及びこの伝熱板２０が設けられた部位の温水管１３の裏面側を覆うように設けている。なお、このような態様とした場合には、図３に示すように、断熱部材１７によって覆われていない温水管１３の外周に、保温材（断熱材）を被覆するようにして設けるようにしてもよい。また、このような態様に代えて、鏡体１０の裏面１２側の略全域に亘って断熱部材１７を設けるようにしてもよい。
【００２３】
なお、断熱部材１７は、ポリスチレンフォーム（発泡ＰＳ）やウレタンフォームなどの各種フォーム系（発泡系）断熱材や、またはロックウールやグラスウールなどの繊維系断熱材からなるものとしてもよい。また、発泡系断熱材を採用する場合には、適宜の形状に加工して、鏡ケース１８内に収容させるようにしてもよい。または、鏡体１０の裏面１２側に上記した伝熱板２０、温水管１３、固定部材１６を組み付けて鏡ケース１８に取り付け、鏡ケース１８内に発泡系樹脂を注入して発泡させることで断熱部材１７を設ける態様としてもよい。このように注入して発泡させて断熱部材１７を設ける態様とすれば、伝熱板２０及びその裏面側に設けられた温水管１３の裏面側を概ね隙間なく比較的に確実に覆うことができ、断熱性を向上させることができる。
【００２４】
鏡ケース１８は、図３に示すように、前方（浴室空間側）に向けて開口する薄型箱形状とされ、その前方側開口を塞ぐように鏡体１０が設けられる。また、鏡ケース１８は、鏡体１０の裏面１２側空間に、上記した伝熱板２０、温水管１３、固定部材１６及び断熱部材１７を収容している。また、この鏡ケース１８の一側壁部には、上記したシャワーホース接続部材１９が嵌め込まれるようにして取り付けられる取付孔が設けられている。
なお、この鏡ケース１８は、アルミニウムや鋼材等の金属系材料から形成されたものとしてもよく、または、合成樹脂系材料から形成されたものとしてもよい。また、このような薄型箱形状とされた鏡ケース１８に代えて、比較的に厚さ寸法の大きい断熱性を有した材料から形成されたものとし、上記した断熱部材１７を設けずに、鏡ケース１８自体を断熱部材として機能させるようにしてもよい。
また、上記構成とされた鏡装置１は、鏡ケース１８の裏面を浴室の壁面２に当接させ、接着剤やねじ等の止具によって浴室の壁面２に設置するようにしてもよい。
【００２５】
上記構成とされた鏡装置１によれば、鏡体１０を効率的に昇温させることができる。
つまり、鏡体１０の裏面１２側に沿うようにして設けられ、かつ供給元側端部１４が温水供給元４に接続される一方、供給先側端部１５が温水供給先（シャワーヘッド）５に接続される温水管１３を備えている。従って、この温水管１３に温水を流通させることで、鏡体１０を昇温させることができる。これにより、結露に起因する鏡体１０の曇りを抑制したり、曇りを除去したりすることができる。
【００２６】
また、温水管１３の温水流通方向と略平行な方向に延びる複数本の突条２２，２３，２４を鏡体１０の裏面１２に当接させる一方、裏面側を温水管１３に当接させた伝熱板２０を備えているので、鏡体１０を効率的に昇温させることができる。
つまり、温水管１３からの熱を平板状の鏡体１０に効率的に伝熱するためには、温水管１３と鏡体２０との間に伝熱部材を設けることが好ましい。しかしながら、この場合には、鏡体１０は、比較的に熱伝導率が低いため（熱容量が大きいため）、伝熱部材の温水管近傍部位以外の昇温に時間が掛かることが考えられる。鏡体１０を表面域方向に沿って迅速にかつ均一に昇温させるためには、比較的に狭い間隔（ピッチ）で蛇行させた蛇行温水管を伝熱部材の裏面に沿わせて設けることも考えられるが、この場合には、蛇行温水管の材料コスト及び加工コストが増大化する傾向がある。
【００２７】
本実施形態に係る鏡装置１によれば、温水管１３の温水流通方向と略平行な方向に延びる複数本の突条２２，２３，２４を鏡体１０の裏面１２に当接させた構成としている。従って、伝熱板２０の温水管１３近傍部位において鏡体１０に移動する熱量を抑制でき、伝熱板２０を比較的に迅速に昇温させることができる。また、このように昇温された伝熱板２０の複数本の突条２２，２３，２４によって鏡体１０を昇温させることができるので、温水管１３を比較的に狭い間隔で蛇行させて設ける必要性を低減させることができる。つまりは、本実施形態によれば、鏡体１０の裏面１２側における温水管１３の配管長を比較的に短くすることが可能でありながらも鏡体１０の表面域方向に沿って比較的に迅速にかつ均一に昇温させることができる。
【００２８】
また、本実施形態では、伝熱板２０に、鏡体１０の厚さ方向で温水管１３と重合しないように温水管１３の両側にそれぞれ複数本の突条２２，２３，２４を設けている。従って、鏡体１０の温水管１３表面側部位における過熱を抑制することができる。また、温水管１３の両側にそれぞれ複数本設けられた伝熱板２０の突条２２，２３，２４によって、より効率的に鏡体１０を昇温させることができる。
また、本実施形態では、伝熱板２０を、温水管１３から離れるに従って鏡体１０との当接面積が大きくなるように突条２２，２３，２４を設けた構造としている。従って、温水管１３から遠くなるほど昇温され難くなる伝熱板２０及び鏡体１０をより効率的に表面域方向に沿って迅速にかつ均一に昇温させることができる。
【００２９】
また、本実施形態では、温水管１３を、鏡体１０の左右方向略中央の裏面１２側において上下に延びるように設けている。従って、鏡体１０の左右方向略中央部位及び左右方向略中央部位の両側部位を迅速にかつ均一に昇温させることができ、使い勝手を向上させることができる。つまり、鏡体１０の裏面１２に当接された伝熱板２０の複数本の突条２２，２３，２４によって鏡体１０の左右方向略中央部位及び左右方向略中央部位の両側部位を迅速にかつ均一に昇温させることができる。
また、本実施形態では、鏡体１０を上下に長尺とし、伝熱板２０を、鏡体１０の上下方向略中央部位よりも下側部位に設けている。従って、上下に長尺とされた鏡体１０の下側部位を比較的に迅速にかつ均一に昇温させることができる。これにより、例えば、浴室内に設置され、座位にて利用される場合が多い鏡装置１としてより好適なものとなる。
【００３０】
次に、鏡装置の一変形例について、図４を参照して説明する。
なお、上記した例との相違点について主に説明し、同様の構成については、同一符号を付し、その説明を省略または簡略に説明する。
本例に係る鏡装置１Ａは、伝熱板２０Ａの構成が上記した例とは主に異なる。
本例では、伝熱板２０Ａは、それぞれの幅寸法Ｗが略同寸法とされた複数本の突条２５を、温水管１３から離れるに従って密に設けている。つまり、温水管１３の両側にそれぞれ設けられた隣り合う突条２５，２５同士の間隔（溝幅）を、温水管１３から離れるに従って小さくしている。
【００３１】
図例では、温水管１３の両側のそれぞれに、７本の突条２５，２５，２５，・・・を設けており、上記した例と同様、伝熱板２０Ａの左右方向中心を対称軸としてこれらを左右対称状にそれぞれ設けている。
また、これら温水管１３の両側において、隣り合う突条２５，２５同士の間隔（溝幅）Ｗ４，Ｗ５，Ｗ６，Ｗ７，Ｗ８，Ｗ９を、伝熱板２０Ａの左右方向中心から外方側に向かうに従って順々に小さくしている。換言すれば、複数本の突条２５間の複数本の凹溝を、隣り合う凹溝同士の溝幅が左右方向中心側よりも外方側が小さくなるように形成している。
このような構成によっても、伝熱板２０Ａと鏡体１０との当接面積を、温水管１３から離れるに従って大きくすることができる。
上記構成とされた本例に係る鏡装置１Ａにおいても上記した鏡装置１と概ね同様の効果を奏する。
【００３２】
なお、伝熱板２０，２０Ａと鏡体１０との当接面積を、温水管１３から離れるに従って大きくする態様としては、上記した各例に限られない。例えば、上記した各例を組み合わせたような態様としてもよい。つまり、温水管１３から離れるに従って突条の幅寸法を大きくし、かつ温水管１３から離れるに従って突条を密に設けるようにしてもよい。
または、このように伝熱板２０，２０Ａと鏡体１０との当接面積を、温水管１３から離れるに従って大きくする態様とせずに、それぞれの幅寸法が略同寸法とされた複数本の突条を、均等間隔（ピッチ）で設ける態様としてもよい。
また、上記した各例に係る鏡装置１，１Ａにおいては、伝熱板２０，２０Ａに、鏡体１０の厚さ方向で温水管１３と重合しないように温水管１３の両側にそれぞれ複数本の突条２２，２３，２４，２５を設けた例を示しているが、このような態様に限られない。例えば、温水管１３の手前側に突条を設けるようにしてもよく、また、温水管１３の一方側のみに複数本の突条を設けた態様としてもよい。
【００３３】
次に、鏡装置の他の変形例について、図５を参照して説明する。
なお、上記した各例との相違点について主に説明し、同様の構成については、同一符号を付し、その説明を省略または簡略に説明する。
本例に係る鏡装置１Ｂは、温水管１３Ａの構成が上記した各例とは主に異なる。
上記した各例では、伝熱板２０，２０Ａの裏面側に、上下に延びる単一の温水管１３を配置した態様としたが、本例では、伝熱板２０Ｂの裏面側において温水管１３Ａを蛇行させるようにして上下に延びる部位を複数とした例を示している。図例では、温水管１３Ａを、二箇所で折り返し、伝熱板２０Ｂの裏面側において上下に延びる部位を三箇所とした例を示している。また、温水管１３Ａの上下に延びる三箇所の部位のうち中央部位を、鏡体１０の左右方向略中央の裏面１２（図１等参照）側に位置するように設け、その両側部位を左右に均等配置した例を示している。
【００３４】
上記構成とされた本例に係る鏡装置１Ｂにおいても上記した鏡装置１，１Ａと概ね同様の効果を奏する。
また、温水管１３Ａの材料コスト及び加工コストは上記した各例と比べて増大する傾向があるが、鏡体１０をより効果的に迅速にかつ均一に昇温させることができる。
なお、本例において、伝熱板２０Ｂと鏡体１０との当接面積を、温水管１３Ａから離れるに従って大きくする場合には、温水管１３Ａの隣接する部位同士の中心に向かうに従って鏡体１０との当接面積が大きくなるように突条を設けた構造としてもよい。
【００３５】
また、上記した各例に係る鏡装置１，１Ａ，１Ｂにおいては、鏡体１０を上下に長尺とし、伝熱板２０，２０Ａ，２０Ｂを、下側部位に設けた例を示しているが、鏡体１０の裏面１２側の概ね全域に亘って伝熱板２０，２０Ａ，２０Ｂを設けるようにしてもよい。さらに、鏡体１０を上下に長尺とせずに、左右に長尺としたり、正面視して略正方形状としたりしてもよい。さらには、鏡体１０を正面視して略矩形状とせずに、正面視して略円形状や略楕円形状、略多角形状等としてもよい。これらの場合には、伝熱板２０，２０Ａ，２０Ｂの形状や温水管１３，１３Ａの配管パターン等を適宜、変形するようにすればよい。
【００３６】
また、上記した各例に係る鏡装置１，１Ａ，１Ｂにおいては、温水管１３，１３Ａを、鏡体１０の少なくとも左右方向略中央の裏面１２側において上下に延びるように設けた例を示しているが、このような態様に限られない。例えば、温水管１３，１３Ａを、鏡体１０の上下方向略中央等の裏面１２側において左右に延びるように設けるようにしてもよい。また、このように少なくとも鏡体１０の略中心部の裏面を通るように温水管１３，１３Ａを設ける態様に限られず、温水管１３（１３Ａ）を、鏡体１０の右側や左側、上側、下側等に寄った裏面１２側に設けるようにしてもよい。
また、上記した例では、鏡装置１，１Ａ，１Ｂを浴室の壁面２に設置した例を示しているが、洗面室の壁面や洗面台等のその他の水廻り空間に設置するようにしてもよい。
【符号の説明】
【００３７】
１，１Ａ，１Ｂ        鏡装置
１０                  鏡体
１２                  裏面
１３，１３Ａ          温水管
１４                  供給元側端部（一端部）
１５                  供給先側端部（他端部）
２０，２０Ａ，２０Ｂ  伝熱板
２２                  第１突条（突条）
２３                  第２突条（突条）
２４                  第３突条（突条）
２５                  突条
４                    温水供給元
５                    シャワーヘッド（温水供給先）
【図１】
0005861096.tif 000002
【図２】
0005861096.tif 000003
【図３】
0005861096.tif 000004
【図４】
0005861096.tif 000005
【図５】
0005861096.tif 000006